(57)【要約】【課題】吐止水及び温調が一操作で可能となる壁埋め込み式湯水混合栓を提供すること。【解決手段】湯水混合部２が壁Ｗ内に設置され、前面カバー５に一つの混合栓操作具３及び吐出口４が設けられている壁埋め込み式湯水混合栓１であって、前記混合栓操作具の一方向への移動により順次止水から低温水、高温水へと切換えられ、他方向への移動により順次高温水から低温水、止水へと切換えられるように構成してある。【選択図】  図１
2015110891.tif 000002
【特許請求の範囲】
【請求項１】
湯水混合部が壁内に設置され、前面カバーに一つの混合栓操作具及び吐出口が設けられている壁埋め込み式湯水混合栓であって、前記混合栓操作具の一方向への移動により順次止水から低温水、高温水へと切換えられ、他方向への移動により順次高温水から低温水、止水へと切換えられるように構成してある壁埋め込み式湯水混合栓。
【請求項２】
前記混合栓操作具がダイヤル式の操作具である請求項１に記載の壁埋め込み式湯水混合栓。
【請求項３】
前記混合栓操作具がつまみ式の操作具である請求項１に記載の壁埋め込み式湯水混合栓。
【請求項４】
壁に形成された取付穴に取り付けられたハウジング本体と、ハウジング本体内に設置されたカートリッジと、カートリッジの内部に設けられたセラミック製ディスク状のバルブとを有し、
前記バルブは固定ディスクと前記混合栓操作具により回動する可動ディスクとよりなり、
固定ディスクは、湯配管に連通する湯用弁孔と水配管に連通する水用弁孔とを有し、可動ディスクは、固定ディスクに対し回動自在に摺動するよう構成されているとともに、可動ディスクには単一の開口が形成されており、
可動ディスクの前記開口と固定ディスクの前記両弁孔の重なり具合により、止水、低温水、高温水に切換えられるよう構成されている一方、
可動ディスクの前記開口から流出した水または湯水が、前記カートリッジの側壁に形成された孔から流出し、さらにハウジング本体に設けられた吐出口から吐出されるよう構成されている請求項１〜３のいずれか１項に記載の壁埋め込み式湯水混合栓。
【請求項５】
壁に形成された取付穴に取り付けられたハウジング本体と、ハウジング本体内に設置されたカートリッジと、カートリッジの内部に設けられたセラミック製ディスク状のバルブとを有し、
前記バルブは固定ディスクと前記混合栓操作具により回動する可動ディスクとよりなり、
固定ディスクは、湯配管に連通する湯用弁孔と水配管に連通する水用弁孔と前記ハウジング本体に設けられた吐出口に連通する混合用弁孔とを有し、可動ディスクは、固定ディスクに対し回動自在に摺動するよう構成されているとともに、可動ディスクには単一の凹入部が形成されており、
固定ディスクの混合用弁孔と可動ディスクの凹入部とが重なる状態で、可動ディスクの前記凹入部と固定ディスクの前記湯用弁孔及び水用弁孔との重なり具合により、止水、低温水、高温水に切換えられるよう構成されている一方、
可動ディスクの前記凹入部で折り返し前記混合用弁孔から流出した水または湯水が、前記カートリッジの底部に形成された孔から流出し、さらにハウジング本体に設けられた吐出口から吐出されるよう構成されている請求項１〜３のいずれか１項に記載の壁埋め込み式湯水混合栓。
【発明の詳細な説明】
【技術分野】
【０００１】
この発明は、洗濯機、浄水器、食器洗い機等へ給水する壁埋め込み式湯水混合栓に関するものである。
【背景技術】
【０００２】
例えば下記特許文献１には、洗濯機用ホースを介して洗濯機へ水のみならず湯水混合水をも供給できる壁埋め込み式湯水混合栓が開示されている。これは、吐止水と流量調整を行うセラミック製のバルブが内蔵されているカートリッジと、湯水混合比率を変える温度調整器（ミキシングカートリッジ）を備えている。
【先行技術文献】
【特許文献】
【０００３】
【特許文献１】特許第３９６２２６８号公報
【発明の概要】
【発明が解決しようとする課題】
【０００４】
しかしながら、この湯水混合栓は、壁に設置された前面カバーに吐止水用と温調用の二つの操作具が設けられており、吐止水と温調を行うのに二操作必要となる。
【０００５】
この発明の目的は、吐止水及び温調が一操作で可能となる壁埋め込み式湯水混合栓を提供することである。
【課題を解決するための手段】
【０００６】
上記目的を達成するために、この発明は、湯水混合部が壁内に設置され、前面カバーに一つの混合栓操作具及び吐出口が設けられている壁埋め込み式湯水混合栓であって、前記混合栓操作具の一方向への移動により順次止水から低温水、高温水へと切換えられ、他方向への移動により順次高温水から低温水、止水へと切換えられるように構成してある壁埋め込み式湯水混合栓を提供する（請求項１）。
【０００７】
この発明では、前記混合栓操作具がダイヤル式の操作具であるのが好ましい（請求項２）。また、この発明では、前記混合栓操作具がつまみ式の操作具であるのが好ましい（請求項３）。
【０００８】
また、この発明では、壁に形成された取付穴に取り付けられたハウジング本体と、ハウジング本体内に設置されたカートリッジと、カートリッジの内部に設けられたセラミック製ディスク状のバルブとを有し、
前記バルブは固定ディスクと前記混合栓操作具により回動する可動ディスクとよりなり、
固定ディスクは、湯配管に連通する湯用弁孔と水配管に連通する水用弁孔とを有し、可動ディスクは、固定ディスクに対し回動自在に摺動するよう構成されているとともに、可動ディスクには単一の開口が形成されており、
可動ディスクの前記開口と固定ディスクの前記両弁孔の重なり具合により、止水、低温水、高温水に切換えられるよう構成されている一方、
可動ディスクの前記開口から流出した水または湯水が、前記カートリッジの側壁に形成された孔から流出し、さらにハウジング本体に設けられた吐出口から吐出されるよう構成されているのが好ましい（請求項４）。
あるいは、この発明では、壁に形成された取付穴に取り付けられたハウジング本体と、ハウジング本体内に設置されたカートリッジと、カートリッジの内部に設けられたセラミック製ディスク状のバルブとを有し、
前記バルブは固定ディスクと前記混合栓操作具により回動する可動ディスクとよりなり、
固定ディスクは、湯配管に連通する湯用弁孔と水配管に連通する水用弁孔と前記ハウジング本体に設けられた吐出口に連通する混合用弁孔とを有し、可動ディスクは、固定ディスクに対し回動自在に摺動するよう構成されているとともに、可動ディスクには単一の凹入部が形成されており、
固定ディスクの混合用弁孔と可動ディスクの凹入部とが重なる状態で、可動ディスクの前記凹入部と固定ディスクの前記湯用弁孔及び水用弁孔との重なり具合により、止水、低温水、高温水に切換えられるよう構成されている一方、
可動ディスクの前記凹入部で折り返し前記混合用弁孔から流出した水または湯水が、前記カートリッジの底部に形成された孔から流出し、さらにハウジング本体に設けられた吐出口から吐出されるよう構成されているのが好ましい（請求項５）。
【発明の効果】
【０００９】
この発明では、湯水混合部が壁内に設置され、前面カバーに一つの混合栓操作具及び吐出口が設けられている壁埋め込み式湯水混合栓であって、前記混合栓操作具の一方向への移動により順次止水から低温水、高温水へと切換えられ、他方向への移動により順次高温水から低温水、止水へと切換えられるように構成しているので、吐止水及び温調が一操作で可能となり、壁に設置された前面カバーに吐止水用と温調用の二つの操作具が設けられているため吐止水と温調に二操作必要となるという従来の壁埋め込み式湯水混合栓が持っている課題を解決することができる。
【００１０】
また、従来の壁埋め込み式湯水混合栓では、一つの吐出口以外に、一つの吐止水用操作具と一つの温調用操作具を有するが、この発明では、一つの吐出口以外に、一つの混合栓操作具を有するだけなので、従来の壁埋め込み式湯水混合栓の場合に比べて壁に形成された取付穴（壁穴）を大きく開ける必要は無くなるとともに、壁内に設置される湯水混合部も従来の壁埋め込み式湯水混合栓の場合に比べてコンパクト化できる。すなわち、この発明では、混合栓操作具の操作性を向上することができるとともに、壁内に設置される湯水混合部をコンパクト化できるため、壁穴が小さくて済み、施工作業の効率化をも向上させることができるという作用効果を一挙に奏しうる。
【図面の簡単な説明】
【００１１】
【図１】この発明の一実施形態に係る壁埋め込み式湯水混合栓を示す正面図である。
【図２】図１におけるａ−ａ線概略断面図である。
【図３】上記実施形態で用いられる湯水混合部、混合栓操作具及び吐出口を示す構成説明図である。
【図４】（Ａ）は、上記実施形態における可動ディスクの開口と固定ディスクの湯用弁孔及び水用弁孔のそれぞれの重なり具合を示す説明図である。（Ｂ）は、上記それぞれの重なり具合における可動ディスクの開口位置を示す説明図である。（Ｃ）は、上記可動ディスクが回動自在に摺動する摺動面側を示す図である。
【図５】この発明の別の実施形態に係る壁埋め込み式湯水混合栓を示す正面図である。
【図６】（Ａ）は図５におけるｂ−ｂ線概略断面図、（Ｂ）はカートリッジの内部構成を示す縦断面図である。
【図７】上記別の実施形態で用いられる湯水混合部、混合栓操作具及び吐出口を示す構成説明図である。
【図８】（Ａ）は、上記別の実施形態における可動ディスクの凹入部と固定ディスクの湯用弁孔及び水用弁孔のそれぞれの重なり具合を示す説明図である。（Ｂ）は、上記それぞれの重なり具合における可動ディスクの凹入位置を示す説明図である。（Ｃ）は、上記可動ディスクが回動自在に摺動する固定ディスクの摺動面側を示す図である。
【発明を実施するための形態】
【００１２】
以下、この発明の実施形態について図面に基づいて説明する。図１〜図４は、例えば洗濯機に給水可能に構成されたこの発明の一実施形態を示す。図１〜図４において、壁埋め込み式湯水混合栓１は、洗濯機近傍の壁Ｗ内に設置されている湯水混合部２と、一つの混合栓操作具３及び吐出口４が設けられている前面カバー５とを備える。吐出口４には、洗濯機の給水ホース（図示せず）の上流端に設けられた継手部材が着脱自在である。前面カバー５は、上下にそれぞれ湯水混合部２が配置可能な開口５ａと吐出口４が配置可能な開口５ｂとを有する。この実施形態では、一つの混合栓操作具３としてダイヤル式の操作具を採用している。そして、この発明では、前記一つの操作具３の一方向への移動により図４（Ａ）に示すように、順次止水から低温水、高温水へと切換えられ、他方向への移動により順次高温水から低温水、止水へと切換えられるように構成されている。
【００１３】
６は、壁Ｗに形成された取付穴Ｅに取り付けられたハウジング本体である。７は、ハウジング本体６内に例えば螺着により設置されているカートリッジであり、このカートリッジ７の内部には、セラミック製ディスク状のバルブが設けられている。カートリッジ７は有底筒状で上方開口を有している。前記バルブは固定ディスク８と、後述する栓棒３４を介して前記一つの操作具３により回動する可動ディスク９とを備える。固定ディスク８は、湯配管１０から供給される湯を取り入れ可能な湯用弁孔１１と、水配管１２から供給される水を取り入れ可能な水用弁孔１３とを有している。なお、この実施形態では、湯配管１０及び水配管１２として、天井配管を採用している。また、可動ディスク９は、固定ディスク８に対し回動自在に摺動するよう構成されているとともに、可動ディスク９には単一の開口１４が形成されている。そして、可動ディスク９の前記開口１４と固定ディスク８の前記両弁孔１１，１３の重なり具合により、止水、低温水、高温水に切換えられるよう構成されている一方、可動ディスク９の前記開口１４から流出した水または湯水が、可動ディスク９の下流でカートリッジ７内に形成されている湯水混合室Ｒを通り前記カートリッジ７の側壁７ａに形成された孔７ｂから流出し、さらにハウジング本体６に設けられた吐出口６ａから吐出されるよう構成されている。そして、可動ディスク９は固定ディスク８の摺動面Ｔに密接した状態で、回転自在（例えば１８０°）に配置されている。なお、図４（Ａ）より明らかなように、前記開口１４と、前記湯用弁孔１１及び水用弁孔１３との重なり具合に応じて水の量あるいは湯水（水＋湯）の量は変化する。３４は栓棒で、カートリッジ７内で固定ディスク８の摺動面Ｔに対して垂直状態で挿入されている。また、栓棒３４の上部には適宜の固定手段によりダイヤル式操作具３が固定されている。そして、ダイヤル式操作具３をまわすと、栓棒３４を介して可動ディスク９が固定ディスク８の摺動面Ｔ上を回転する。ダイヤル式操作具３には、その操作具本体３ａの外周面に、止水の状態なのか、洗濯機へ給水される水または湯水が低温水の状態なのか、高温水の状態なのかを示す目印用の突起３ｂが設けられている。そして、前面カバー５の前面ｆにおける操作具本体３ａの周囲に沿う３時の位置には止水の状態を示す「止」が記載されており、１１時の位置には低温水の状態を示す「Ｃ」が記載されており、９時の位置には高温水の状態を示す「Ｈ」が記載されている。図１は、目印用の突起３ｂが「止」を指していることから止水の状態を示している。なお、栓棒３４の中間位置に設けたリング状のスベリパッキン（図示せず）がカートリッジ７内のパッキン受け部（図示せず）に当接することによって栓棒３４が回転できるように構成されている。湯水混合部２は、ハウジング本体６、カートリッジ７、両ディスク８，９、栓棒３４、ダイヤル式操作具３等から構成されている。また、ハウジング本体６は、図示しない箱状の固定枠に収容され、その固定枠が間柱に取り付けられる。
【００１４】
以下、ハウジング本体６およびカートリッジ７の特徴的構成について更に説明する。図２において、カートリッジ７の側壁７ａに形成された前記孔７ｂの形状としては、側壁７ａの一部を適宜の大きさだけ円周方向に切欠いて形成された円周方向に長い長孔が好ましく、これを必要に応じて側壁７ａまわりに複数設けてもよい。さらに、カートリッジ７は、後述するハウジング本体６の流入口２１及び２２を介して流入口２１及び２２上流の配管１０及び１２にそれぞれ連通するよう形成された湯連通孔１０’及び水連通孔１２’を底部７ｃに有する。一方、ハウジング本体６は、箱状のカートリッジ設置空間部ｍと、後述する吐出流路ｉを形成するため設置空間部ｍから下方に延設された流路形成部ｎとから構成されている。カートリッジ設置空間部ｍは、カートリッジ７の設置空間を形成するとともに、流入口２１及び２２を底部に有している。前記流入口２１及び２２は、上流側が湯用及び水用配管接続部材（図示せず）を介して配管１０及び１２にそれぞれ接続され、下流側がカートリッジ７の前記湯連通孔１０’及び水連通孔１２’にそれぞれ連通している。そして、可動ディスク９の前記開口１４から流出し、湯水混合室Ｒ、カートリッジ７の側壁７ａに形成された孔７ｂを経てハウジング本体６の吐出口６ａから吐出する水または湯水は、ハウジング本体６内に形成されている吐出流路ｉを下方に流れて吐出口４の入口４ａに至るよう構成されている。さらに、カートリッジ７において、固定ディスク８の湯用弁孔１１にのみ連通する湯室２３と固定ディスク８の水用弁孔１３にのみ連通する水室２４とを形成するための工夫がカートリッジ７の底部（シート部）７ｃに施されている。すなわち、２５は、前記両室２３，２４を仕切るための仕切り壁で、底部７ｃの内側において底部７ｃから内部に向かって突出した状態でカートリッジ７に一体で形成されている。そして、カートリッジ７の設置空間部ｍ内には、固定ディスク８の摺動面Ｔとは反対の固定ディスク面が仕切り壁２５に水密状態で当接するよう固定ディスク８が設置されている。
【００１５】
而して、図１に示すように目印用の突起３ｂが止水状態を指しているときは、固定ディスク８の両弁孔１１，１３を可動ディスク９が閉塞している。この止水状態では可動ディスク９は回転していないので可動ディスク９の回転角度は０°である。同時にダイヤル式操作具３の回転角度も０°である。止水状態のダイヤル式操作具３を、反時計方向（Ｇ方向）にまわしていくと、栓棒３４を介して可動ディスク９が固定ディスク８の摺動面Ｔ上を回転する。図４（Ａ）に示すように、止水状態からＧ方向に可動ディスク９を１００°回転させると、水のみがハウジング本体６の吐出口６ａから吐出され続け、この状態でさらにＧ方向に可動ディスク９を４０°（止水状態からＧ方向に１４０°）回転すると、可動ディスク９の前記開口１４が固定ディスク８の前記両弁孔１１，１３に重なり始め、湯水混合室Ｒにおいて湯水が導入され、この状態でさらに、Ｇ方向に可動ディスク９を４０°（止水状態からＧ方向に１８０°）回転させると、湯の混合比率が最大となり湯水の温度が最高温になる。この間、前記操作具３をＧ方向へ移動させるだけで、順次止水から低温水、高温水へと切換えられうる。また、高温水の状態から止水へと切換えるには、前記操作具３をＧ方向とは反対の時計方向へ移動させるだけでよい。
【００１６】
なお、上述した湯用及び水用配管接続部材（図示せず）に上下に回動する回動機能を設けることによりこの発明は床配管にも適用できる。また、この発明は、前記操作具としてつまみ式の操作具を用いることもできるが、つまみによる直線運動を回転運動に切換えるための切換機構が必要となる。
【００１７】
その他、この発明は種々に変形して実施可能である。そこで、図１〜図４に示す実施形態とは別の本発明の実施形態を図５〜図８に示す。上記実施形態と別の実施形態とは共通する点も多いので、以下では、主として上記実施形態と別の実施形態との相違点について述べる。
【００１８】
図１に示す例では、目印用の突起３ｂが正面視において３時の方向を向いているときに「止」、すなわち止水状態を指し、この状態のダイヤル式操作具３を反時計方向（Ｇ方向）にまわすと、ハウジング本体６の吐出口６ａから吐出される水の温度が上昇する。しかし、これに限らず、例えば図５に示すように、目印用の突起３ｂが正面視において９時の方向を向いているときに「止」、すなわち止水状態を指し、この状態のダイヤル式操作具３を時計方向（Ｇ’方向）にまわすと、ハウジング本体６の吐出口６ａから吐出される水の温度が上昇するように壁埋め込み式湯水混合栓１が構成されていてもよい。
【００１９】
図２に示す例では、湯水は、固定ディスク８の湯用弁孔１１、水用弁孔１３を経た後、可動ディスク９の開口１４を通り抜けるが、図６（Ａ）及び（Ｂ）、図８（Ｃ）に示すように、可動ディスク９に開口１４の代わりに凹入部４１を設け、湯水が可動ディスク９を貫くように流れるのではなく、可動ディスク９の凹入部４１内に至った湯水が折り返して流れるようにしてもよい。この場合、凹入部４１で折り返す湯水を通すための貫通孔（あるいは湯水混合室Ｒ）となる混合用弁孔４０を固定ディスク８に別途設け、また、カートリッジ７の内部から外部に湯水を流出させるための孔７ｂをカートリッジ７の側壁７ａではなく底部（シート部）７ｃに設け、さらに、この孔７ｂに連通する位置に、ハウジング本体６の吐出口６ａを設ければよい。
【００２０】
図３に示す例では、湯配管１０及び水配管１２の下流部に逆止弁を各々設けているが、これに限らず、例えば図７に示すように、湯配管１０及び水配管１２には逆止弁を設けず、図６（Ａ）に示すように、吐出口４内に逆止弁４２を設けるようにしてもよい。
【００２１】
而して、図５〜図８に示す実施形態では、図５に示すように目印用の突起３ｂが止水状態を指しているとき、可動ディスク９の凹入部４１は、固定ディスク８の混合用弁孔４０には重なっているが、湯用弁孔１１及び水用弁孔１３には重なっておらず、可動ディスク９が固定ディスク８の両弁孔１１，１３を閉塞している（図８（Ａ）の左端の図参照）。この止水状態では可動ディスク９は回転していないので可動ディスク９の回転角度は０°である。同時にダイヤル式操作具３の回転角度も０°である。止水状態のダイヤル式操作具３を、時計方向（Ｇ’方向）にまわしていくと、栓棒３４を介して可動ディスク９が固定ディスク８の摺動面Ｔ上を回転する。
【００２２】
図８（Ａ）、（Ｂ）の左端及び左端から二つ目の図に示すように、可動ディスク９をＧ’方向に０°から約１０°（本例では１２°）回転させるまでの間は、ハウジング本体６の吐出口６ａからは何も吐出されない止水状態に保たれる。
【００２３】
そして、約１０°回転させた状態の可動ディスク９をさらにＧ’方向に回転させると、可動ディスク９の凹入部４１が固定ディスク８の混合用弁孔４０に重なりつつ水用弁孔１３にも重なる状態となり、ハウジング本体６の吐出口６ａから水が吐出され始め、回転に伴って凹入部４１と水用弁孔１３との重なる範囲が大きくなるので徐々に吐出量が増していく。このようにして可動ディスク９が約１０°から約１２０°（本例では１２２°）まで回転する間、ハウジング本体６の吐出口６ａから吐出されるのは水のみである（図８（Ａ）、（Ｂ）の中央の図参照）。
【００２４】
約１２０°回転させた可動ディスク９をさらにＧ’方向に回転させると、可動ディスク９の凹入部４１が固定ディスク８の混合用弁孔４０及び水用弁孔１３に重なりつつ湯用弁孔１１にも重なる状態となり、ハウジング本体６の吐出口６ａから吐出される水に湯が混合され始め、回転に伴って凹入部４１と湯用弁孔１１との重なる範囲は大きくなり、凹入部４１と水用弁孔１３との重なる範囲は小さくなるので、吐出口６ａから吐出される湯水の温度は徐々に上がっていく。このようにして可動ディスク９が約１２０°から約１８０°まで回転する間、ハウジング本体６の吐出口６ａから吐出されるのは湯水（湯と水の混合物）である（図８（Ａ）、（Ｂ）の右端から二つ目の図参照）。
【００２５】
約１８０°回転させた可動ディスク９をさらにＧ’方向に回転させると、可動ディスク９の凹入部４１が固定ディスク８の混合用弁孔４０及び湯用弁孔１１には重なるが水用弁孔１３には重ならなくなり、ハウジング本体６の吐出口６ａからは湯のみが吐出される状態となる（図８（Ａ）、（Ｂ）の右端から二つ目の図参照）。そして、この可動ディスク９は約２１０°まで回転可能となっており、可動ディスク９が約１８０°から約２１０°まで回転する間、ハウジング本体６の吐出口６ａから吐出されるのは湯のみである。
【００２６】
なお、ハウジング本体６の吐出口６ａからの湯のみの吐出が不要である場合には、例えば可動ディスク９が約１８０°までしか回転しないように構成してもよい。
【００２７】
また、図１〜図４に示す実施形態の構成と、図５〜図８に示す実施形態の構成とを適宜組み合わせてもよいことはいうまでもない。
【符号の説明】
【００２８】
１      壁埋め込み式湯水混合栓
２      湯水混合部
３      一つの混合栓操作具
４      吐出口
５      前面カバー
Ｗ      壁
【図１】
2015110891.tif 000003
【図２】
2015110891.tif 000004
【図３】
2015110891.tif 000005
【図４】
2015110891.tif 000006
【図５】
2015110891.tif 000007
【図６】
2015110891.tif 000008
【図７】
2015110891.tif 000009
【図８】
2015110891.tif 000010